(57)【要約】 【課題】  高い導電性能及び接着力を有すると共にスペーサーとしての機能を有し、パソコン筐体や各種電気製品の筐体のアース対策・ＥＭＩ対策を確実に行なうことができる導電性粘着テープ及びその製造方法を提供する。【解決手段】  基材１の両面に粘着剤層２，２が形成されてなる両面粘着テープ１１と、該両面粘着テープ１１の両面に一体的に設けた一又は二以上の導電性部材３とからなり、両面粘着テープ１１の片面又は両面に粘着剤層２が露出した接着部４を設けてある。【選択図】    図１
2005344068.tif 000002
【特許請求の範囲】
【請求項１】
基材の両面に粘着剤層が形成されてなる両面粘着テープと、該両面粘着テープの両面に一体的に設けた一又は二以上の導電性部材とからなり、両面粘着テープの片面又は両面に粘着剤層が露出した接着部を設けた導電性粘着テープ。
【請求項２】
前記接着部の一部に緩衝材を設けた請求項１に記載の導電性粘着テープ。
【請求項３】
前記両面粘着テープが、アクリルフォームの基材にアクリル系粘着剤を含浸させて粘着剤層を形成してなる請求項１又は２に記載の導電性粘着テープ。
【請求項４】
前記導電性部材が、アルミ箔、銅泊等の導電性金属箔からなる請求項１乃至３のいずれかに記載の導電性粘着テープ。
【請求項５】
前記導電性金属箔を両面粘着テープの端部で折り曲げて該両面粘着テープの両面に一体的に設けた請求項４に記載の導電性粘着テープ。
【請求項６】
前記両面粘着テープの片面に設けた導電性金属箔の一部が該両面粘着テープを貫通してなる請求項４に記載の導電性粘着テープ。
【請求項７】
アルミ箔、銅泊等の導電性金属箔と、該導電性金属箔の片面に設けた導電性粘着剤層と、該導電性粘着剤層の一部に設けた緩衝材とからなる導電性粘着テープ。
【請求項８】
アルミ箔、銅泊等の導電性金属箔と、該導電性金属箔の片面に設けた導電性粘着剤層と、該導電性粘着剤層の一部に設けた両面粘着テープとからなる導電性粘着テープ。
【請求項９】
帯状の導電性金属箔の中央部に帯状の両面粘着テープを貼り付ける貼付工程と、両面粘着テープを貼り付けた導電性金属箔を長手方向に曲げ冶具に通して該導電性金属箔の両側部を両面粘着テープ側に曲げる曲げ工程と、前記曲げ冶具を通過した導電性金属箔を加圧して導電性金属箔の両側部を両面粘着テープに圧着させる圧着工程とからなる導電性粘着テープの製造方法。
【請求項１０】
前記曲げ冶具が樋状を成し、導電性金属箔の挿入部は幅広に形成してあり、導電性金属箔の進行方向に行くに従って両側面が内側に湾曲して幅狭に形成してある請求項９に記載の導電性粘着テープの製造方法。
【請求項１１】
前記圧着工程が、ローラー機で導電性金属箔と両面粘着テープを加圧圧着するようにした請求項９又は１０に記載の導電性粘着テープの製造方法。
【発明の詳細な説明】
【技術分野】
【０００１】
本発明は、導電性粘着テープ及びその製造方法に関し、特に、パソコン筐体や各種電気製品の筐体のアース対策・ＥＭＩ対策を目的とした導電性粘着テープに関する。
【背景技術】
【０００２】
従来、パソコン筐体や各種電気製品の筐体のアース対策・ＥＭＩ（電磁妨害：Electro Magnetic Interference）対策に、導電性粘着テープが使用されている。この導電性粘着テープとしては、アルミ箔・銅泊等の金属箔の少なくとも一方の面に、金属粉やカーボンブラック粉等の導電性粒子を分散させた粘着剤層を設けたもの（例えば、特許文献１参照）や、テープ状の導電性多孔質体に、導電性粒子を含む導電性接着剤を含浸させたもの（例えば、特許文献２参照）が知られている。
【０００３】
【特許文献１】特開平１１−８０６８２号公報
【特許文献２】特開平６−４１５１５号公報
【発明の開示】
【発明が解決しようとする課題】
【０００４】
しかし、特許文献１に記載の導電性粘着テープは、導電性の低い接着剤に導電性粒子を分散させた接着剤層により接着力と導電性の両方を得られるようにするものであるが、接着剤層を介して金属箔を貼り付けるために、金属箔を直接接続するよりも導電性が低下する。一方、接着剤層は導電性粒子を含むために、接着剤の接着力も低下するという課題があった。更に、この導電性粘着テープは金属箔と粘着剤層とからなるから、テープ自体が薄くなりスペーサーとしての機能を果たさないために、例えば、電気製品の筐体と蓋体の間のように隙間を有する部分に使用し難いという課題があった。
また、特許文献２に記載の導電性粘着テープは、導電性多孔質体に導電性接着剤を含浸させていることからスペーサーとしての機能は果たすが、特許文献１に記載の導電性粘着テープと同様に、導電性及び接着力が低下するという問題は残っている。
【０００５】
そこで、本発明は、高い導電性能及び接着力を有すると共にスペーサーとしての機能を有し、パソコン筐体や各種電気製品の筐体のアース対策・ＥＭＩ対策を確実に行なうことができる導電性粘着テープ及びその製造方法を提供するものである。
【課題を解決するための手段】
【０００６】
本発明は、上記課題を解決するために、基材の両面に粘着剤層が形成されてなる両面粘着テープと、該両面粘着テープの両面に一体的に設けた一又は二以上の導電性部材とからなり、両面粘着テープの片面又は両面に粘着剤層が露出した接着部を設けた導電性粘着テープを提供するものである。
【０００７】
また、本発明は、前記接着部の一部に緩衝材を設けた請求項１に記載の導電性粘着テープを提供するものである。
【０００８】
また、本発明は、前記両面粘着テープが、アクリルフォームの基材にアクリル系粘着剤を含浸させて粘着剤層を形成してなる請求項１又は２に記載の導電性粘着テープを提供するものである。
【０００９】
また、本発明は、前記導電性部材が、アルミ箔、銅泊等の導電性金属箔からなる請求項１乃至３のいずれかに記載の導電性粘着テープを提供するものである。
【００１０】
また、本発明は、前記導電性金属箔を両面粘着テープの端部で折り曲げて該両面粘着テープの両面に一体的に設けた請求項４に記載の導電性粘着テープを提供するものである。
【００１１】
また、本発明は、前記両面粘着テープの片面に設けた導電性金属箔の一部が該両面粘着テープを貫通してなる請求項４に記載の導電性粘着テープを提供するものである。
【００１２】
また、本発明は、アルミ箔、銅泊等の導電性金属箔と、該導電性金属箔の片面に設けた導電性粘着剤層と、該導電性粘着剤層の一部に設けた緩衝材とからなる導電性粘着テープを提供するものである。
【００１３】
また、本発明は、アルミ箔、銅泊等の導電性金属箔と、該導電性金属箔の片面に設けた導電性粘着剤層と、該導電性粘着剤層の一部に設けた両面粘着テープとからなる導電性粘着テープを提供するものである。
【００１４】
また、本発明は、帯状の導電性金属箔の中央部に帯状の両面粘着テープを貼り付ける貼付工程と、両面粘着テープを貼り付けた導電性金属箔を長手方向に曲げ冶具に通して該導電性金属箔の両側部を両面粘着テープ側に曲げる曲げ工程と、前記曲げ冶具を通過した導電性金属箔を加圧して導電性金属箔の両側部を両面粘着テープに圧着させる圧着工程とからなる導電性粘着テープの製造方法を提供するものである。
【００１５】
また、本発明は、前記曲げ冶具が樋状を成し、導電性金属箔の挿入部は幅広に形成してあり、導電性金属箔の進行方向に行くに従って両側面が内側に湾曲して幅狭に形成してある請求項９に記載の導電性粘着テープの製造方法を提供するものである。
【００１６】
また、本発明は、前記圧着工程が、ローラー機で導電性金属箔と両面粘着テープを加圧圧着するようにした請求項９又は１０に記載の導電性粘着テープの製造方法を提供するものである。
【発明の効果】
【００１７】
本発明に係る導電性粘着テープによれば、基材の両面に粘着剤層が形成されてなる両面粘着テープと、該両面粘着テープの両面に一体的に設けた一又は二以上の導電性部材とからなり、両面粘着テープの片面又は両面に粘着剤層が露出した接着部を設けた構成を有することにより、両面粘着テープの表面と裏面を導電性部材によって直接的に接続するから導電性の低下を阻止することができると共に、接着部は粘着剤層が露出してあるから粘着剤の粘着力の低下も阻止することができる。また、導電性粘着テープは基材を有することによりスペーサーとしての機能を果たすことができ、更にテープの両面に接着部を設けることによって両面を接着させることもできる効果がある。
【００１８】
また、本発明は、前記接着部の一部に緩衝材を設けた請求項１に記載の構成を有することにより、導電性粘着テープに緩衝機能を付加することができ、例えば電気製品の筐体と蓋体の間のように、蓋体を開閉するために緩衝スペースが必要な箇所のアース対策やＥＭＩ対策を確実に行なうことができる効果がある。
【００１９】
また、本発明は、前記両面粘着テープが、アクリルフォームの基材にアクリル系粘着剤を含浸させて粘着剤層を形成してなる請求項１又は２に記載の構成を有することにより、導電性粘着テープの耐老化性及び耐候性を向上させることができる効果がある。
【００２０】
また、本発明は、前記導電性部材が、アルミ箔、銅泊等の導電性金属箔からなる請求項１乃至３のいずれかに記載の構成を有することにより、高い導電性能を得られると共に、導電性部材を容易に加工することができる効果がある。
【００２１】
また、本発明は、前記導電性金属箔を両面粘着テープの端部で折り曲げて該両面粘着テープの両面に一体的に設けた請求項４に記載の構成を有することにより、導電性金属箔を両面粘着テープの端部で折り曲げるという簡単な加工によって両面粘着テープの両面に導電性金属箔を一体的に設けることができる効果がある。
また、本発明は、前記両面粘着テープの片面に設けた導電性金属箔の一部が該両面粘着テープを貫通してなる請求項４に記載の構成を有することにより、導電性金属箔を両面粘着テープを貫通して設けることによっても両面粘着テープの両面に導電性金属箔を一体的に設けることができる。
【００２２】
また、本発明は、アルミ箔、銅泊等の導電性金属箔と、該導電性金属箔の片面に設けた導電性粘着剤層と、該導電性粘着剤層の一部に設けた緩衝材とからなる構成を有することにより、緩衝材によって導電性粘着テープにスペーサー機能及び緩衝機能を付加することができる。
また、本発明は、アルミ箔、銅泊等の導電性金属箔と、該導電性金属箔の片面に設けた導電性粘着剤層と、該導電性粘着剤層の一部に設けた両面粘着テープとからなる構成を有することにより、両面粘着テープによってスペーサー機能を付加することができると共に、接着性を向上させることができる効果がある。
【００２３】
また、本発明に係る導電性粘着テープの製造方法によれば、帯状の導電性金属箔の中央部に帯状の両面粘着テープを貼り付ける貼付工程と、両面粘着テープを貼り付けた導電性金属箔を長手方向に曲げ冶具に通して該導電性金属箔の両側部を両面粘着テープ側に曲げる曲げ工程と、前記曲げ冶具を通過した導電性金属箔を加圧して導電性金属箔の両側部を両面粘着テープに圧着させる圧着工程とからなる構成を有することにより、簡易な工程によって両面粘着テープの両面に導電性金属箔を一体的に設けることができ、両面粘着テープの表面と裏面を導電性金属箔によって直接的に接続するから導電性の低下を阻止することができると共に、導電性金属箔に覆われない両面粘着テープの露出部分が接着部として機能し、粘着力の低下も阻止することができる効果がある。
【００２４】
また、本発明は、前記曲げ冶具が樋状を成し、導電性金属箔の挿入部は幅広に形成してあり、導電性金属箔の進行方向に行くに従って両側面が内側に湾曲して幅狭に形成してある請求項９に記載の構成を有することにより、導電性金属箔が曲げ冶具内を通過する際に、導電性金属箔の両側部が曲げ冶具の両側面に沿って徐々に曲げられるから、導電性金属箔が破れたり皺になったりするのを防止することができる効果がある。
【００２５】
また、本発明は、前記圧着工程が、ローラー機で導電性金属箔と両面粘着テープを加圧圧着するようにした請求項９又は１０に記載の構成を有することにより、導電性金属箔の両側部を両面粘着テープに圧着させるときに、導電性金属箔が皺になるのを防止することができる効果がある。
【発明を実施するための最良の形態】
【００２６】
本発明の実施の形態を図示する実施例に基づいて説明する。
本発明に係る導電性粘着テープ１０は、基材１の両面に粘着剤層２，２が形成されてなる両面粘着テープ１１と、該両面粘着テープ１１の両面に一体的に設けた一又は二以上の導電性部材３とからなり、両面粘着テープ１１の片面又は両面に粘着剤層２が露出した接着部４を設けてある。
【実施例１】
【００２７】
図１に示す実施例において、基材１はアクリルフォームからなり、この基材１の両面にアクリル系粘着剤を含浸させて粘着剤層２を形成してある。基材１は、スペーサーとしての機能を果たすことから、図示の実施例では０．３〜３．０ｍｍの厚さのものを使用している。また、基材１には、強靭な接合力を有し、柔軟性・耐候性・耐久性等に優れることからアクリルフォームを使用することが好ましいが、不織布基材又はフィルム基材等の基材を使用することも可能である。また、粘着剤層を形成する粘着剤には、耐候性・耐久性等に優れることからアクリル系粘着剤を使用することが好ましいが、ポリビニルエーテルやポリ酢酸ビニル等の粘着剤を使用することも可能である。
【００２８】
導電性部材３は、アルミ箔、銅泊等の導電性金属箔からなる。導電性金属箔の厚さは、１０〜２００μｍであり、好ましくは２０〜５０μｍである。また、導電性金属箔は、両面粘着テープ１１の一方の面に接着して設けてあると共に、導電性金属箔の両側部を両面粘着テープ１１の端部で他方の面に折り曲げて接着してあり、導電性部材３を両面粘着テープ１１の両面に一体的に設けてある。導電性部材３には、加工が容易で導電性能が高いから、導電性金属箔を使用することが好ましいが、アルミや銅等の金属片、導電性ポリマー、銅・銀メッキを施したシート等を使用することも可能である。
【００２９】
また、両面粘着テープ１１には、導電性金属箔を折り曲げた側に粘着剤層２が露出した接着部４を設けてあり、該接着部４に剥離紙５を設けてある。
この導電性粘着テープ１０を使用するときは、剥離紙５を接着部４から剥がし、例えばパソコンや各種電気製品の筐体に貼り付けると、導電性部材３が筐体に接触して、両面粘着テープ１１の両面に一体的に設けた導電性部材３を介してアース対策・ＥＭＩ対策を確実に行なうことができる。
【００３０】
次に、実施例１に示す導電性粘着テープの製造方法を図２に基づいて説明する。
本発明に係る導電性粘着テープの製造方法は、帯状の導電性金属箔１２の中央部に帯状の両面粘着テープ１１を貼り付ける貼付工程と、両面粘着テープ１１を貼り付けた導電性金属箔１２を長手方向に曲げ冶具１３に通して該導電性金属箔１２の両側部を両面粘着テープ１１側に曲げる曲げ工程と、前記曲げ冶具１３を通過した導電性金属箔１２を加圧して導電性金属箔１２の両側部を両面粘着テープ１１に圧着させる圧着工程とからなる。
【００３１】
図２に示す実施例において、曲げ冶具１３は樋状を成し、導電性金属箔１２の挿入部１３ａは幅広に形成してあり、導電性金属箔の進行方向に行くに従って両側面が内側に湾曲して導電性金属箔１２の排出部１３ｂは幅狭に形成してある。
また、曲げ冶具１３の排出部側にはローラー機１４を設けてあり、曲げ冶具１３から排出される導電性金属箔１２と両面粘着テープ１１を加圧圧着することができるようにしてある。
【００３２】
先ず、帯状の導電性金属箔１２に両面粘着テープ１１の幅に合わせた罫線を引き、この罫線に合わせて両面粘着テープ１１を導電性金属箔１２に貼り付ける（貼付工程）。次に、両面粘着テープ１１を貼り付けた導電性金属箔１２を曲げ冶具１３に挿入すると、導電性金属箔１２の両側部は、曲げ冶具１３の両側面に沿って両面粘着テープ１１側に徐々に湾曲し、両面粘着テープ１１の両側部を挟むように曲げられる（曲げ工程）。曲げ冶具１３から排出された導電性金属箔１２と両面粘着テープ１１は、ローラー機１４により加圧圧着され（圧着工程）、図１に示す導電性粘着テープ１０が製造される。
【実施例２】
【００３３】
次に、本発明に係る導電性粘着テープの他の実施例について、実施例１と相違する点を中心に説明する。
図３に示す実施例において、導電性粘着テープ１０は、両面粘着テープ１１の両面に粘着剤層２が露出した接着部４，４を設けた両面粘着テープである。両面粘着テープ１１の両端部には、断面コ字状に形成した１対の導電性金属箔からなる導電性部材３，３を両面粘着テープ１１の両面に一体的に設けてあり、両面粘着テープ１１の両面中央部の粘着剤層２は露出してある。また、両面粘着テープは、図３に示す実施例に限られず、図１に示す実施例において、導電性部材３に孔部を設けて両面粘着テープ１１の両面に粘着剤層２が露出した接着部４，４を形成することも可能である。
【実施例３】
【００３４】
図４又は図５に示す実施例において、導電性粘着テープ１０は、接着部４の一部にウレタンフォームやフォームラバー等の緩衝材６を設けて緩衝機能を付加してあり、例えば、電気製品の筐体と蓋体の間のように、蓋体を開閉するために緩衝スペースが必要な箇所のアース対策やＥＭＩ対策を確実に行なうことができるようにしてある。
【実施例４】
【００３５】
図６に示す実施例において、導電性粘着テープ１０は、両面粘着テープ１１の一方の面に設けた導電性金属箔からなる導電性部材３に穴加工を施し、該導電性部材３の一部が両面粘着テープ１１を貫通して両面粘着テープ１１の他方の面に露出するように構成してある。
【実施例５】
【００３６】
図７に示す実施例において、導電性粘着テープ１０は、アルミ箔、銅泊等の導電性金属箔からなる導電性部材３と、該導電性部材３の片面に設けた導電性粘着剤層７と、該導電性粘着剤層７の一部に設けた緩衝材６とから構成してある。導電性粘着剤層７は、金属粉やカーボンブラック粉等の導電性粒子を含有したアクリル系粘着剤からなる。
また、導電性粘着剤層７には、緩衝材６に代えて両面粘着テープを設けることもでき、緩衝材６の両面に粘着剤層を設けた構成にすることも勿論可能である。
【図面の簡単な説明】
【００３７】
【図１】本発明導電性粘着テープの一実施例を示す一部縦断斜視図。
【図２】その実施例の製造方法を示す斜視図。
【図３】他の実施例を示す一部縦断斜視図。
【図４】その他の実施例を示す一部縦断斜視図。
【図５】その他の実施例を示す一部縦断斜視図。
【図６】その他の実施例を示す一部縦断斜視図。
【図７】その他の実施例を示す一部縦断斜視図。
【符号の説明】
【００３８】
１  基材
２  粘着剤層
３  導電性部材
４  接着部
５  剥離紙
６  緩衝材
７  導電性粘着剤層
１０  導電性粘着テープ
１１  両面粘着テープ
１２  導電性金属箔
１３  曲げ冶具
１３ａ  挿入部
１３ｂ  排出部
１４  ローラー機
１５  罫線
【図１】
2005344068.tif 000003
【図２】
2005344068.tif 000004
【図３】
2005344068.tif 000005
【図４】
2005344068.tif 000006
【図５】
2005344068.tif 000007
【図６】
2005344068.tif 000008
【図７】
2005344068.tif 000009